【手続補正書】
【提出日】平成16年5月7日(2004.5.7)
【手続補正１】
【補正対象書類名】明細書
【補正対象項目名】発明の名称
【補正方法】変更
【補正の内容】
【発明の名称】サービス提供システム、機器端末およびその処理方法、認証装置および方法、サービス提供装置および方法、並びにプログラム
【手続補正２】
【補正対象書類名】明細書
【補正対象項目名】特許請求の範囲
【補正方法】変更
【補正の内容】
【特許請求の範囲】
【請求項１】
サービスを利用する端末、前記サービスを提供するサービス提供装置、および前記端末が前記サービスの提供を受けることができる機器であるか否かの認証を行う認証装置からなるサービス提供システムにおいて、
前記端末は、
認証情報を、前記認証装置に送信する第１の送信手段と、
前記サービス提供装置から提供された前記サービスを利用する利用手段と
を備え、
前記認証装置は、
前記端末の前記第１の送信手段により送信されてきた前記認証情報に基づいて、前記  認証を行う認証手段と、
前記認証手段による前記認証の結果を、前記サービス提供装置に送信する第２の送信  手段と
を備え、
前記サービス提供装置は、前記認証装置の前記第２の送信手段により送信されてきた前  記認証の結果に基づいて、前記サービスを前記端末に提供する提供手段
を備えることを特徴とするサービス提供システム。
【請求項２】
サービスを利用する端末、前記サービスを提供するサービス提供装置、および前記端末が前記サービスの提供を受けることができる機器であるか否かの認証を行う認証装置からなるサービス提供システムにおいて、
前記端末は、
前記サービス提供装置に、サービス要求をするサービス要求手段と、
認証情報を、前記認証装置に送信する認証情報送信手段と、
前記認証装置から認証結果を受信する認証結果受信手段と、
前記サービス提供装置へ前記認証結果を送信する認証結果送信手段と、
前記サービス提供装置から提供された前記サービスを利用する利用手段と
を備え、
前記認証装置は、
前記端末の前記認証情報送信手段により送信されてきた前記認証情報に基づいて、前  記端末を認証する認証情報認証手段と、
前記認証情報認証手段による前記認証の結果を、前記端末に送信する認証結果送信手  段と、
前記サービス提供装置から送信されてきた前記認証結果を認証する認証結果認証手段  と
を備え、
前記サービス提供装置は、前記端末より送信されてきた前記認証の結果を前記認証装置に送信することによって、前記端末にサービスを提供するサービス提供手段
を備えることを特徴とするサービス提供システム。
【請求項３】
認証装置において認証を必要とするサービスを提供するサービス提供装置からサービス供給を受ける機器端末において、
前記サービス提供装置にサービス要求を行うサービス要求手段と、
前記機器端末の認証情報を、前記認証装置に送信する認証情報送信手段と、
前記認証装置における、前記認証情報の認証結果を受信する認証結果受信手段と、
前記認証結果を、前記サービス提供装置に送信する認証結果送信手段と、
前記認証結果が正しければ、前記サービス提供装置からサービス供給を受けるサービス享受手段と
を備えることを特徴とする機器端末。
【請求項４】
認証装置において認証を必要とするサービスを提供するサービス提供装置からサービス供給を受ける機器端末の処理方法において、
前記サービス提供装置にサービス要求を行い、
前記機器端末の認証情報を、前記認証装置に送信し、
前記認証装置における、前記認証情報の認証結果を受信し、
前記認証結果を、前記サービス提供装置に送信し、
前記認証結果が正しければ、前記サービス提供装置からサービス供給を受ける
ことを特徴とする機器端末の処理方法。
【請求項５】
機器端末が、認証装置において認証を必要とするサービスを提供するサービス提供装置からサービス供給を受けるためのプログラムであって、
前記サービス提供装置にサービス要求を行い、
前記機器端末の認証情報を、前記認証装置に送信し、
前記認証装置における、前記認証情報の認証結果を受信し、
前記認証結果を、前記サービス提供装置に送信し、
前記認証結果が正しければ、前記サービス提供装置からサービス供給を受ける
ことをコンピュータに実行させることを特徴とするプログラム。
【請求項６】
サービスを提供するサービス提供装置にサービス要求を行う機器端末を認証する認証装置において、
前記機器端末から前記機器端末の認証情報を受信する認証情報受信手段と、
前記認証情報受信手段により受信された前記認証情報に基づいて、前記機器端末を認証する第１の認証手段と、
前記第１の認証手段によって前記機器端末が認証されると、前記機器端末に認証結果を送信する認証結果送信手段と、
前記機器端末から前記サービス提供装置に送信される前記認証結果を、前記サービス提供装置から受信する認証結果受信手段と、
前記認証結果受信手段において、前記サービス提供装置から受信する前記認証結果を、前記認証結果送信手段において送信した認証結果と同一であるか否かを確認する第２の認証手段と、
前記第２の認証手段における前記認証結果の確認結果を前記サービス提供装置に提供する認証結果確認結果送信手段と
を備えることを特徴とする認証装置。
【請求項７】
認証を伴うサービスを提供するサービス提供装置にサービス要求を行う機器端末を認証する認証方法において、
前記機器端末から前記機器端末の認証情報を受信し、
受信した認証情報に基づいて、前記機器端末を認証し、
前記機器端末が認証されると、前記機器端末に認証結果を送信し、
前記機器端末から前記サービス提供装置に送信される前記認証結果を、前記サービス提供装置から受信し、
前記サービス提供装置から受信する前記認証結果と、前記機器端末に送信した認証結果と同一であるか否かを確認し、
前記認証結果の確認結果を前記サービス提供装置に提供する
ことを特徴とする認証方法。
【請求項８】
認証を伴うサービスを提供するサービス提供装置にサービス要求を行う機器端末を認証するためのプログラムであって、
前記機器端末から前記機器端末の認証情報を受信し、
受信した認証情報に基づいて、前記機器端末を認証し、
前記機器端末が認証されると、前記機器端末に認証結果を送信し、
前記機器端末から前記サービス提供装置に送信される前記認証結果を、前記サービス提供装置から受信し、
前記サービス提供装置から受信する前記認証結果と、前記機器端末に送信した認証結果と同一であるか否かを確認し、
前記認証結果の確認結果を前記サービス提供装置に提供する
ことをコンピュータに実行させることを特徴とするプログラム。
【請求項９】
機器端末に、認証装置において認証を必要とするサービスを提供するサービス提供装置において、
前記機器端末から、認証を必要とするサービス要求を受けるサービス要求受信手段と、
前記機器端末に、前記認証情報へのアクセス先情報を送信するアクセス先情報送信手段と、
前記機器端末から、前記機器端末の前記認証装置における認証結果を受信する認証結果受信手段と、
前記認証結果受信手段において受信した前記認証結果を前記認証装置に送信する認証結果送信手段と、
前記機器端末から受信した認証結果が、前記認証装置で発行した認証結果である場合には、正しく認証されたと判断して、前記機器端末にサービス提供を行うサービス提供手段と
を備えることを特徴とするサービス提供装置。
【請求項１０】
機器端末に、認証装置において認証を必要とするサービスを提供するサービス提供方法において、
前記機器端末から、認証を必要とするサービス要求を受け、
前記機器端末に、前記認証情報へのアクセス先情報を送信し、
前記機器端末から、前記機器端末の前記認証装置における認証結果を受信し、
前記機器端末から受信した前記認証結果を前記認証装置に送信し、
前記機器端末から受信した認証結果が、前記認証装置において発行された認証結果であると正しく認証された場合に、前記機器端末にサービス提供を行う
ことを特徴とするサービス提供方法。
【請求項１１】
機器端末に、認証装置において認証を必要とするサービスを提供するためのプログラムであって、
前記機器端末から、認証を必要とするサービス要求を受け、
前記機器端末に、前記認証情報へのアクセス先情報を送信し、
前記機器端末から、前記機器端末の前記認証装置における認証結果を受信し、
前記機器端末から受信した前記認証結果を前記認証装置に送信し、
前記機器端末から受信した認証結果が、前記認証装置において発行された認証結果であると正しく認証された場合に、前記機器端末にサービス提供を行う
ことをコンピュータに実行させることを特徴とするプログラム。
【手続補正３】
【補正対象書類名】明細書
【補正対象項目名】０００１
【補正方法】変更
【補正の内容】
【０００１】
【発明の属する技術分野】
本発明は、サービス提供システム、機器端末およびその処理方法、認証装置および方法、サービス提供装置および方法、並びにプログラムに関し、特に、セキュリティ上重要な情報をサービスサーバに供給することなく、サービスサーバからサービスの提供を受けることができるようにしたサービス提供システム、機器端末およびその処理方法、認証装置および方法、サービス提供装置および方法、並びにプログラムに関する。
【手続補正４】
【補正対象書類名】明細書
【補正対象項目名】０００５
【補正方法】変更
【補正の内容】
【０００５】
【課題を解決するための手段】
本発明の第１のサービス提供システムは、端末が、認証情報を、認証装置に送信する第１の送信手段と、サービス提供装置から提供されたサービスを利用する利用手段とを備え、認証装置が、端末の第１の送信手段により送信されてきた認証情報に基づいて、認証を行う認証手段と、認証手段による認証の結果を、サービス提供装置に送信する第２の送信手段とを備え、サービス提供装置が、認証装置の第２の送信手段により送信されてきた認証の結果に基づいて、サービスを端末に提供する提供手段を備えることを特徴とする。
【手続補正５】
【補正対象書類名】明細書
【補正対象項目名】０００６
【補正方法】変更
【補正の内容】
【０００６】
本発明の第１のサービス提供システムにおいては、認証情報が、認証装置に送信され、サービス提供装置から提供されたサービスが利用され、端末により送信されてきた認証情報に基づいて、認証が行われ、認証の結果が、サービス提供装置に送信され、認証装置により送信されてきた認証の結果に基づいて、サービスが端末に提供される。
【手続補正６】
【補正対象書類名】明細書
【補正対象項目名】０００７
【補正方法】変更
【補正の内容】
【０００７】
本発明の第２のサービス提供システムは、端末が、サービス提供装置に、サービス要求をするサービス要求手段と、認証情報を、認証装置に送信する認証情報送信手段と、認証装置から認証結果を受信する認証結果受信手段と、サービス提供装置へ認証結果を送信する認証結果送信手段と、サービス提供装置から提供されたサービスを利用する利用手段とを備え、認証装置が、端末の認証情報送信手段により送信されてきた認証情報に基づいて、端末を認証する認証情報認証手段と、認証情報認証手段による認証の結果を、端末に送信する認証結果送信手段と、サービス提供装置から送信されてきた認証結果を認証する認証結果認証手段とを備え、サービス提供装置が、端末より送信されてきた認証の結果を認証装置に送信することによって、端末にサービスを提供するサービス提供手段を備えることを特徴とする。
【手続補正７】
【補正対象書類名】明細書
【補正対象項目名】０００８
【補正方法】変更
【補正の内容】
【０００８】
本発明の第２のサービス提供システムにおいては、端末で、サービス提供装置に、サービス要求がなされ、認証情報が、認証装置に送信され、認証装置から認証結果が受信され、サービス提供装置へ認証結果が送信され、サービス提供装置から提供されたサービスが利用され、認証装置で、端末により送信されてきた認証情報に基づいて、端末が認証され、その認証の結果が、端末に送信され、サービス提供装置から送信されてきた認証結果が認証され、サービス提供装置で、端末より送信されてきた認証の結果を認証装置に送信することによって、端末にサービスが提供される。
【手続補正８】
【補正対象書類名】明細書
【補正対象項目名】０００９
【補正方法】変更
【補正の内容】
【０００９】
本発明の機器端末は、サービス提供装置にサービス要求を行うサービス要求手段と、機器端末の認証情報を、認証装置に送信する認証情報送信手段と、認証装置における、認証情報の認証結果を受信する認証結果受信手段と、認証結果を、サービス提供装置に送信する認証結果送信手段と、認証結果が正しければ、サービス提供装置からサービス供給を受けるサービス享受手段とを備えることを特徴とする。
【手続補正９】
【補正対象書類名】明細書
【補正対象項目名】００１０
【補正方法】変更
【補正の内容】
【００１０】
本発明の機器端末の処理方法は、サービス提供装置にサービス要求を行い、機器端末の認証情報を、認証装置に送信し、認証装置における、認証情報の認証結果を受信し、認証結果を、サービス提供装置に送信し、認証結果が正しければ、サービス提供装置からサービス供給を受けることを特徴とする。
【手続補正１０】
【補正対象書類名】明細書
【補正対象項目名】００１１
【補正方法】変更
【補正の内容】
【００１１】
本発明の第１のプログラムは、サービス提供装置にサービス要求を行い、機器端末の認証情報を、認証装置に送信し、認証装置における、認証情報の認証結果を受信し、認証結果を、サービス提供装置に送信し、認証結果が正しければ、サービス提供装置からサービス供給を受けることをコンピュータに実行させることを特徴とする。
【手続補正１１】
【補正対象書類名】明細書
【補正対象項目名】００１２
【補正方法】変更
【補正の内容】
【００１２】
本発明の機器端末およびその処理方法、並びに第１のプログラムにおいては、サービス提供装置にサービス要求が行われ、機器端末の認証情報が、認証装置に送信され、認証装置における、認証情報の認証結果が受信され、認証結果が、サービス提供装置に送信され、認証結果が正しければ、サービス提供装置からサービス供給が受けられる。
本発明の認証装置は、機器端末から機器端末の認証情報を受信する認証情報受信手段と、認証情報受信手段により受信された認証情報に基づいて、機器端末を第１の認証する認証手段と、第１の認証手段によって機器端末が認証されると、機器端末に認証結果を送信する認証結果送信手段と、機器端末からサービス提供装置に送信される認証結果を、サービス提供装置から受信する認証結果受信手段と、認証結果受信手段において、サービス提供装置から受信する認証結果を、認証結果送信手段において送信した認証結果と同一であるか否かを確認する第２の認証手段と、第２の認証手段における認証結果の確認結果をサービス提供装置に提供する認証結果確認結果送信手段とを備えることを特徴とする。
本発明の認証方法は、機器端末から機器端末の認証情報を受信し、受信した認証情報に基づいて、機器端末を認証し、機器端末が認証されると、機器端末に認証結果を送信し、機器端末からサービス提供装置に送信される認証結果を、サービス提供装置から受信し、サービス提供装置から受信する認証結果と、機器端末に送信した認証結果と同一であるか否かを確認し、認証結果の確認結果をサービス提供装置に提供することを特徴とする。
本発明の第２のプログラムは、機器端末から機器端末の認証情報を受信し、受信した認証情報に基づいて、機器端末を認証し、機器端末が認証されると、機器端末に認証結果を送信し、機器端末からサービス提供装置に送信される認証結果を、サービス提供装置から受信し、サービス提供装置から受信する認証結果と、機器端末に送信した認証結果と同一であるか否かを確認し、認証結果の確認結果をサービス提供装置に提供することをコンピュータに実行させることを特徴とする。
本発明の認証装置および方法、並びに第２のプログラムにおいては、機器端末から機器端末の認証情報が受信され、受信された認証情報に基づいて、機器端末が認証され、機器端末が認証されると、機器端末に認証結果が送信され、機器端末からサービス提供装置に送信される認証結果が、サービス提供装置から受信され、サービス提供装置から受信する認証結果と、機器端末に送信した認証結果と同一であるか否かが確認され、認証結果の確認結果がサービス提供装置に提供される。
本発明のサービス提供装置は、機器端末から、認証を必要とするサービス要求を受けるサービス要求受信手段と、機器端末に、認証情報へのアクセス先情報を送信するアクセス先情報送信手段と、機器端末から、機器端末の認証装置における認証結果を受信する認証結果受信手段と、認証結果受信手段において受信した認証結果を認証装置に送信する認証結果送信手段と、機器端末から受信した認証結果が、認証装置で発行した認証結果である場合には、正しく認証されたと判断して、機器端末にサービス提供を行うサービス提供手段とを備えることを特徴とする。
本発明のサービス提供方法は、機器端末から、認証を必要とするサービス要求を受け、機器端末に、認証情報へのアクセス先情報を送信し、機器端末から、機器端末の認証装置における認証結果を受信し、機器端末から受信した認証結果を認証装置に送信し、機器端末から受信した認証結果が、認証装置において発行された認証結果であると正しく認証された場合に、機器端末にサービス提供を行うことを特徴とする。
本発明の第３のプログラムは、機器端末から、認証を必要とするサービス要求を受け、機器端末に、認証情報へのアクセス先情報を送信し、機器端末から、機器端末の認証装置における認証結果を受信し、機器端末から受信した認証結果を認証装置に送信し、機器端末から受信した認証結果が、認証装置において発行された認証結果であると正しく認証された場合に、機器端末にサービス提供を行うことをコンピュータに実行させることを特徴とする。
本発明のサービス提供方法および方法、並びに第３のプログラムにおいては、機器端末から、認証を必要とするサービス要求が受けられ、機器端末に、認証情報へのアクセス先情報が送信され、機器端末から、機器端末の認証装置における認証結果が受信され、機器端末から受信した認証結果が認証装置に送信され、機器端末から受信した認証結果が、認証装置において発行された認証結果であると正しく認証された場合に、機器端末にサービス提供を行われる。